(57)【要約】【課題】本発明は、効率よくレセプトデータの収集および修正が可能なレセプトデータ処理装置、方法、プログラム及び記録媒体を提供することを課題とする。【解決手段】本発明による、レセプトデータに対して所望のデータ処理を施す装置によれば、イメージデータ記憶部２２ａによって前記レセプトデータ中のイメージデータが記憶され、デジタルデータ記憶部２２ｂによって前記レセプトデータ中のデジタルデータが記憶される。そして、デジタルデータ処理部２４によって、前記デジタルデータ記憶部２２ｂに記憶されているデジタルデータに対して所望のデータ処理が施こされる。さらに、データ表示制御部２６によって、前記イメージデータと、前記デジタルデータ処理部２４によって所望のデータ処理が施されたデジタルデータとに基づき、所望の表示用データが生成される。【選択図】　　　図２
2004030359.tif 000002
【特許請求の範囲】
【請求項１】
レセプトデータに対して所望のデータ処理を施す装置であって、
前記レセプトデータ中のイメージデータを記憶するイメージデータ記憶手段と、
前記レセプトデータ中のデジタルデータを記憶するデジタルデータ記憶手段と、
当該デジタルデータ記憶手段に記憶されているデジタルデータに対して所望のデータ処理を施すデジタルデータ処理手段と、
前記イメージデータと、前記デジタルデータ処理手段によって所望のデータ処理が施されたデジタルデータとに基づき、所望の表示用データを生成するデータ表示制御手段と、
を備えるレセプトデータ処理装置。
【請求項２】
請求項１に記載のレセプトデータ処理装置であって、
レセプトからレセプトデータを読み取り、当該読み取られたレセプトデータのイメージデータおよびデジタルデータを出力するレセプトデータ読取手段をさらに備えるレセプトデータ処理装置。
【請求項３】
請求項１または２に記載のレセプトデータ処理装置であって、
前記イメージデータ中の個人情報に対してマスク処理を施すイメージデータ処理手段をさらに備えるレセプトデータ処理装置。
【請求項４】
レセプトデータに対して所望のデータ処理を施す装置であって、
レセプトからレセプトデータを読み取り、当該読み取られたレセプトデータ中のイメージデータおよびデジタルデータを出力するレセプトデータ読取手段と、
当該レセプトデータ読取手段から出力されたイメージデータ中の個人情報に対してマスク処理を施すイメージデータ処理手段と、
を備えるレセプトデータ処理装置。
【請求項５】
請求項２または４に記載のレセプトデータ処理装置であって、
前記レセプトデータ読取手段から出力されたイメージデータおよびデジタルデータを記憶するための生データ記憶手段をさらに備えるレセプトデータ処理装置。
【請求項６】
請求項１乃至３のいずれか一項に記載のレセプトデータ処理装置であって、
前記データ表示制御手段によって生成される表示用データに基づき生成される１つの表示画面を２つのデータ表示領域に分割して、分割された一方のデータ表示領域に前記イメージデータを表示するとともに、分割された他方のデータ表示領域に前記デジタルデータを表示する、レセプトデータ処理装置。
【請求項７】
請求項６に記載のレセプトデータ処理装置であって、
前記データ表示制御手段によって生成される表示用データに基づき生成される１つの表示画面を上下２つのデータ表示領域に分割して、分割された一方のデータ表示領域に前記イメージデータを表示するとともに、分割された他方のデータ表示領域に前記デジタルデータを表示する、レセプトデータ処理装置。
【請求項８】
請求項６に記載のレセプトデータ処理装置であって、
前記データ表示制御手段によって生成される表示用データに基づき生成される１つの表示画面を左右２つのデータ表示領域に分割して、分割された一方のデータ表示領域に前記イメージデータを表示するとともに、分割された他方のデータ表示領域に前記デジタルデータを表示する、レセプトデータ処理装置。
【請求項９】
請求項１乃至３のいずれか一項または請求項６乃至８のいずれか一項に記載のレセプトデータ処理装置であって、
前記デジタルデータ処理手段によるデータ処理を監視するデータ処理監視手段をさらに備えるレセプトデータ処理装置。
【請求項１０】
請求項９に記載のレセプトデータ処理装置であって、
前記データ処理監視手段がデータ処理時間を測定するレセプトデータ処理装置。
【請求項１１】
請求項９または１０に記載のレセプトデータ処理装置であって、
前記データ処理監視手段がデータ処理精度を求めるレセプトデータ処理装置。
【請求項１２】
レセプトデータ中のイメージデータを記憶するイメージデータ記憶手段およびレセプトデータ中のデジタルデータを記憶するデジタルデータ記憶手段を備え、レセプトデータに対して所望のデータ処理を施す方法であって、
前記デジタルデータ記憶手段に記憶されているデジタルデータに対して所望のデータ処理を施すデジタルデータ処理工程と、
前記イメージデータと、前記デジタルデータ処理工程によって所望のデータ処理が施されたデジタルデータとに基づき、所望の表示用データを生成するデータ表示制御工程と、
を備えるレセプトデータ処理方法。
【請求項１３】
レセプトからレセプトデータを読み取り、当該読み取られたレセプトデータ中のイメージデータおよびデジタルデータを出力するレセプトデータ読取手段を備え、レセプトデータに対して所望のデータ処理を施す方法であって、
前記レセプトデータ読取手段によって出力されたイメージデータ中の個人情報に対してマスク処理を施すイメージデータ処理工程と、
を備えるレセプトデータ処理方法。
【請求項１４】
レセプトデータ中のイメージデータを記憶するイメージデータ記憶手段およびレセプトデータ中のデジタルデータを記憶するデジタルデータ記憶手段を備えるコンピュータに、レセプトデータに対する所望のデータ処理を実行させるためのプログラムであって、
前記デジタルデータ記憶手段に記憶されているデジタルデータに対して所望のデータ処理を施すデジタルデータ処理と、
前記イメージデータと、前記デジタルデータ処理工程によって所望のデータ処理が施されたデジタルデータとに基づき、所望の表示用データを生成するデータ表示制御処理と、
をコンピュータに実行させるためのプログラム。
【請求項１５】
レセプトからレセプトデータを読み取り、当該読み取られたレセプトデータ中のイメージデータおよびデジタルデータを出力するレセプトデータ読取手段を備えるコンピュータに、レセプトデータに対する所望のデータ処理を実行させるためのプログラムであって、
前記レセプトデータ読取手段によって出力されたイメージデータ中の個人情報に対してマスク処理を施すイメージデータ処理と、
をコンピュータに実行させるためのプログラム。
【請求項１６】
請求項１４または１５に記載のプログラムを記録したコンピュータによって読取可能な記録媒体。
【発明の詳細な説明】
【０００１】
【発明の属する技術分野】
本発明は、診療報酬明細書（以下、「レセプト」と称する）のデータを読み取って処理するレセプトデータ処理装置、方法、プログラムおよび記録媒体に関する。
【０００２】
【従来の技術】
近年、コンピュータを用いるレセプトデータ処理技術が多く開発されている。例えば、特開２０００−１６７９３７号公報には、レセプトデータの管理およびチェックを行うためのシステムが開示されている。当該レセプト管理システムは、レセプトデータを蓄積したデータベースを有するサーバを備え、当該サーバには通信回線を介して端末が接続されている。また、前記サーバは、チェック対象のレセプトを前記データベースから選択し、当該選択されたレセプトの内容を、前記端末からの要求に応じて前記データベースから読み出して表示するように構成されている。
【０００３】
【発明が解決しようとする課題】
しかしながら、上記のようなレセプトデータ管理システムでは、コンピュータを用いて大量のレセプトデータを処理できるものの、レセプトデータの入力作業および入力ミスなどが生じやすく、効率よくレセプトデータの収集および修正を行うことができなかった。
【０００４】
本発明は、上記問題点を解決するためになされたもので、効率よくレセプトデータの収集および修正が可能なレセプトデータ処理装置、方法、プログラムおよび記録媒体を提供することを課題とする。
【０００５】
【課題を解決するための手段】
上記課題に鑑み、請求項１に記載の発明は、レセプトデータに対して所望のデータ処理を施す装置であって、前記レセプトデータ中のイメージデータを記憶するイメージデータ記憶手段と、前記レセプトデータ中のデジタルデータを記憶するデジタルデータ記憶手段と、当該デジタルデータ記憶手段に記憶されているデジタルデータに対して所望のデータ処理を施すデジタルデータ処理手段と、前記イメージデータと、前記デジタルデータ処理手段によって所望のデータ処理が施されたデジタルデータとに基づき、所望の表示用データを生成するデータ表示制御手段と、を備えて構成される。
【０００６】
以上のように構成された、レセプトデータに対して所望のデータ処理を施す装置によれば、イメージデータ記憶手段によって前記レセプトデータ中のイメージデータが記憶され、デジタルデータ記憶手段によって前記レセプトデータ中のデジタルデータが記憶される。そして、デジタルデータ処理手段によって、前記デジタルデータ記憶手段に記憶されているデジタルデータに対して所望のデータ処理が施こされ、データ表示制御手段によって、前記イメージデータと、前記デジタルデータ処理手段によって所望のデータ処理が施されたデジタルデータとに基づき、所望の表示用データが生成される。
【０００７】
請求項２に記載の発明は、請求項１に記載のレセプトデータ処理装置であって、レセプトからレセプトデータを読み取り、当該読み取られたレセプトデータのイメージデータおよびデジタルデータを出力するレセプトデータ読取手段をさらに備えて構成される。
【０００８】
請求項３に記載の発明は、請求項１または２に記載のレセプトデータ処理装置であって、前記イメージデータ中の個人情報に対してマスク処理を施すイメージデータ処理手段をさらに備えて構成される。
【０００９】
請求項４に記載の発明は、レセプトデータに対して所望のデータ処理を施す装置であって、レセプトからレセプトデータを読み取り、当該読み取られたレセプトデータ中のイメージデータおよびデジタルデータを出力するレセプトデータ読取手段と、当該レセプトデータ読取手段から出力されたイメージデータ中の個人情報に対してマスク処理を施すイメージデータ処理手段と、を備えて構成される。
【００１０】
請求項５に記載の発明は、請求項２または４に記載のレセプトデータ処理装置であって、前記レセプトデータ読取手段から出力されたイメージデータおよびデジタルデータを記憶するための生データ記憶手段をさらに備えて構成される。
【００１１】
請求項６に記載の発明は、請求項１乃至３のいずれか一項に記載のレセプトデータ処理装置であって、前記データ表示制御手段によって生成される表示用データに基づき生成される１つの表示画面を２つのデータ表示領域に分割して、分割された一方のデータ表示領域に前記イメージデータを表示するとともに、分割された他方のデータ表示領域に前記デジタルデータを表示するように構成される。
【００１２】
請求項７に記載の発明は、請求項６に記載のレセプトデータ処理装置であって、前記データ表示制御手段によって生成される表示用データに基づき生成される１つの表示画面を上下２つのデータ表示領域に分割して、分割された一方のデータ表示領域に前記イメージデータを表示するとともに、分割された他方のデータ表示領域に前記デジタルデータを表示するように構成される。
【００１３】
請求項８に記載の発明は、請求項６に記載のレセプトデータ処理装置であって、前記データ表示制御手段によって生成される表示用データに基づき生成される１つの表示画面を左右２つのデータ表示領域に分割して、分割された一方のデータ表示領域に前記イメージデータを表示するとともに、分割された他方のデータ表示領域に前記デジタルデータを表示するように構成される。
【００１４】
請求項９に記載の発明は、請求項１乃至３のいずれか一項または請求項６乃至８のいずれか一項に記載のレセプトデータ処理装置であって、前記デジタルデータ処理手段によるデータ処理を監視するデータ処理監視手段をさらに備えて構成される。
【００１５】
請求項１０に記載の発明は、請求項９に記載のレセプトデータ処理装置であって、前記データ処理監視手段がデータ処理時間を測定するように構成される。
【００１６】
請求項１１に記載の発明は、請求項９または１０に記載のレセプトデータ処理装置であって、前記データ処理監視手段がデータ処理精度を求めるように構成される。
【００１７】
請求項１２に記載の発明は、レセプトデータ中のイメージデータを記憶するイメージデータ記憶手段およびレセプトデータ中のデジタルデータを記憶するデジタルデータ記憶手段を備え、レセプトデータに対して所望のデータ処理を施す方法であって、前記デジタルデータ記憶手段に記憶されているデジタルデータに対して所望のデータ処理を施すデジタルデータ処理工程と、前記イメージデータと、前記デジタルデータ処理工程によって所望のデータ処理が施されたデジタルデータとに基づき、所望の表示用データを生成するデータ表示制御工程と、を備えて構成される。
【００１８】
請求項１３に記載の発明は、レセプトからレセプトデータを読み取り、当該読み取られたレセプトデータ中のイメージデータおよびデジタルデータを出力するレセプトデータ読取手段を備え、レセプトデータに対して所望のデータ処理を施す方法であって、前記レセプトデータ読取手段によって出力されたイメージデータ中の個人情報に対してマスク処理を施すイメージデータ処理工程と、を備えて構成される。
【００１９】
請求項１４に記載の発明は、レセプトデータ中のイメージデータを記憶するイメージデータ記憶手段およびレセプトデータ中のデジタルデータを記憶するデジタルデータ記憶手段を備えるコンピュータに、レセプトデータに対する所望のデータ処理を実行させるためのプログラムであって、前記デジタルデータ記憶手段に記憶されているデジタルデータに対して所望のデータ処理を施すデジタルデータ処理と、前記イメージデータと、前記デジタルデータ処理工程によって所望のデータ処理が施されたデジタルデータとに基づき、所望の表示用データを生成するデータ表示制御処理と、をコンピュータに実行させるためのプログラムである。
【００２０】
請求項１５に記載の発明は、レセプトからレセプトデータを読み取り、当該読み取られたレセプトデータ中のイメージデータおよびデジタルデータを出力するレセプトデータ読取手段を備えるコンピュータに、レセプトデータに対する所望のデータ処理を実行させるためのプログラムであって、前記レセプトデータ読取手段によって出力されたイメージデータ中の個人情報に対してマスク処理を施すイメージデータ処理と、をコンピュータに実行させるためのプログラムである。
【００２１】
請求項１６に記載の発明は、請求項１４または１５に記載のプログラムを記録したコンピュータによって読取可能な記録媒体である。
【００２２】
【発明の実施の形態】
以下、図面を参照して、本発明の実施の形態を詳細に説明する。
【００２３】
レセプトデータ処理システムの全体構成
図１に、本発明の一実施形態によるレセプトデータ処理システムの概略全体構成図を示す。図１に示すように、レセプトデータ処理を制御するための制御プログラムが格納されている制御プログラム格納部（図示せず）を有するサーバ１０は、インターネット、専用回線などの通信網を介して、データ読取システム１２、作業監視部１７および複数の作業用コンピュータ１〜Ｎに接続されている。
【００２４】
データ読取システム１２は、レセプト１５のイメージデータおよびデジタルデータを読み取るためのスキャナ１４と、当該スキャナによって読み取られたデータに対して所望のデータ処理（以下で詳細に説明する「マスク処理」）を施してサーバ１０に供給するコンピュータ１３と、スキャナ１４によって読み取られたデータをそのまま生データとして記憶する生データ記憶部１６と、を備えて構成される。なお、図１においては、当該データ読取システムを１つ設けた例を示しているが、複数設けることもできる。
【００２５】
作業監視部１７および複数の作業用コンピュータ１〜Ｎは、モニタなどの表示部を有するコンピュータシステムで構成される。
【００２６】
レセプトデータ処理装置
図２に、本発明の一実施形態によるレセプトデータ処理装置２０のブロック図を示す。
【００２７】
図２に示すように、本発明の一実施形態によるレセプトデータ処理装置２０は、レセプトのイメージデータおよびデジタルデータを読み取るためのレセプトデータ読取部１８と、当該読み取られたレセプトのイメージデータおよびデジタルデータをそのまま修正することなく記憶する生データ記憶部１６と、前記読み取られたイメージデータ中に含まれる個人情報を記載している領域を削除する処理（個人情報に対するマスク処理）を行い、プライバシー保護を図るためのイメージデータ処理部２１と、マスク処理されたイメージデータを記憶するイメージデータ記憶部２２ａおよび前記読み取られたデジタルデータを記憶するデジタルデータ記憶部２２ｂを有する処理後データ記憶部２２と、データ修正・入力部２８からの指示に基づきデジタルデータに対して所望のデータ処理を施すデジタルデータ処理部２４と、当該デジタルデータ処理部２４によるデータ処理状態を監視するためのデータ（データ処理時間、データ処理精度等）を取得するための作業監視用データ取得部２５と、イメージデータ記憶部２２ａから読み出されたイメージデータに基づきイメージデータ表示用データを生成するイメージデータ表示制御部２６ａおよびデジタルデータ処理部２４によって処理されたデジタルデータに基づきデジタルデータ表示用データを生成するデジタルデータ表示制御部２６ｂを有するデータ表示制御部２６と、を備えている。
【００２８】
ここで、レセプトデータ読取部１８はスキャナ１４およびコンピュータ１３に対応し、イメージデータ処理部２１はコンピュータ１３に対応している。また、処理後データ記憶部２２はサーバ内のデータ格納部（図示せず）に対応し、デジタルデータ処理部２４および作業監視用データ取得部２５はサーバ内のデータ処理部（図示せず）に対応し、データ表示制御部２６はサーバ内のデータ表示制御部（図示せず）に対応している。
【００２９】
なお、イメージデータを表示するイメージデータ表示部２７ａおよびデジタルデータを表示するデジタルデータ表示部２７ｂを有するデータ表示部２７は、作業用コンピュータ１〜Ｎが備えるディスプレイなどの表示部（図示せず）に対応し、データ表示制御部２６によって生成された表示用データに基づき、データ表示画面を表示する。また、データ修正・入力部２８は、作業用コンピュータ１〜Ｎが備えるキーボード、マウスその他のポインティングデバイス（図示せず）によって構成される。
【００３０】
レセプトデータの構成
図３に、レセプト１５の一例を示す。当該実施形態においては、レセプトの一例として診療報酬明細書について説明するが、調剤報酬明細書についても同様に本願発明を適用することができる。図３に示すように、レセプト１５は、イメージデータ領域ＩＭ１〜１００と、デジタルデータ領域Ｄとを備えている。
【００３１】
当該実施形態において、イメージデータ領域ＩＭ１〜１００はレセプトの上部の所定領域に配置されているものとする。イメージデータとしては、一例として、県番号ＩＭ１、医療機関コードＩＭ２、保険記号・番号ＩＭ３、氏名ＩＭ４、性別ＩＭ５、生年月日ＩＭ６、傷病名ＩＭ７、保険医療機関の所在地および名称ＩＭ８、診療開始日ＩＭ９、診療実日数ＩＭ１０、初診に関するデータＩＭ１１、再診に関するデータＩＭ１２、指導に関するデータＩＭ１３、在宅に関するデータＩＭ１４、投薬に関するデータＩＭ２０、注射に関するデータＩＭ３０、処置に関するデータＩＭ４０、手術に関するデータＩＭ５０、検査に関するデータＩＭ６０、画像診断に関するデータＩＭ７０、処方箋に関するデータＩＭ８０、療養の給付に関するデータＩＭ９０および費用に関するデータＩＭ１００を備えている。これらのイメージデータは、レセプトデータ読取部によってイメージデータとして読み取られて、イメージデータ処理部２１によって処理される。
【００３２】
当該実施形態において、デジタルデータ領域Ｄはレセプトの下部の所定領域に配置されているものとする。デジタルデータＤの詳細に関しては、以下で図４を参照してさらに詳細に説明する。
【００３３】
図４に、図３のデジタルデータ領域Ｄに配置されるレセプトのデジタルデータ構成の一例を示す。図４に示すように、デジタルデータとしては、８桁の保険者番号、７桁の医療機関コード、７桁の請求点数などが記録されている。これらのデジタルデータは、レセプトデータ読取部によってデジタルデータとして読み取られて、デジタルデータ記憶部２２ｂに記憶される。
【００３４】
レセプトデータ表示画面
図５に、データ表示部におけるレセプトデータ表示画面の一例を示す。当該表示画面は、レセプトが図３に示す診療報酬請求明細書の場合である。
【００３５】
図５に示すデータ表示画面では、上下２つのデータ表示領域に分割して、分割された上方のデータ表示領域（領域Ａ）にイメージデータＩＭ１〜１００を表示するとともに、分割された下方のデータ表示領域（領域Ｂおよび領域Ｃ）にデジタルデータを表示している。例えば、領域Ａに表示されたイメージデータは、上下スクロールボタンをマウスなどでクリックすることによって上下に移動できるように構成する。
【００３６】
当該実施形態では、１つのデータ表示画面を上下２つのデータ表示領域に分割して、デジタルデータとイメージデータとを表示しているが、１つのデータ表示画面を左右２つのデータ表示領域に分割して、デジタルデータとイメージデータとを表示することもできる。
【００３７】
さらに、図５に示す例では前記下方のデータ表示領域を左右２つに分割している（領域Ｂおよび領域Ｃ）。領域Ｂには、レセプトデータ読取部１８によって自動的に読み取られた図３のデジタルデータＤの内容が表示され、領域Ｃには、領域Ａに表示されたイメージデータを参照して、データ修正・入力部２８によって修正および入力されるデータが表示される。
【００３８】
レセプトデータ処理
次に、図８に示すフローチャートを参照して、本発明の一実施形態におけるレセプトデータ処理装置２０によるレセプトデータ処理を説明する。
【００３９】
図８に示すように、まず、レセプトデータ読取部１８がレセプト１５に記録されているレセプトデータ（デジタルデータおよびイメージデータ）を読み取り、当該読み取られたレセプトデータ（生データ）に対して管理番号を付与する（Ｓ１０）。当該レセプトデータのステータスをステータス１０とする。この際、レセプトデータ読取部１８は、当該読み取ったレセプトデータを管理番号とともに生データ記憶部１６に記憶する（Ｓ１２）。
【００４０】
次に、イメージデータ処理部２１は、レセプトデータ読取部１８が読み取ったイメージデータ中の個人情報に対してマスク処理（イメージデータに対する処理）を施す（Ｓ１４）。ここで、個人情報とは、個人を特定できる氏名、被保険者記号・番号、老人保険受給者番号、公費負担者番号などの情報をいい、マスク処理とは、イメージデータ中の当該個人情報を有する領域を欠落させる処理をいう。
【００４１】
そして、イメージデータ記憶部２２ａは、イメージデータ処理部２１によってマスク処理されたイメージデータ（処理後データ）を記憶する。このようにイメージデータを記憶する前に個人情報に対するマスク処理を施すので、個人情報の保護を図ることができる。一方、デジタルデータ記憶部２２ｂは、レセプトデータ読取部１８によって読み取られたデジタルデータを記憶する（Ｓ１６）。このときの処理後データおよびデジタルデータのデータステータスをステータス１５とする。
【００４２】
次に、イメージデータ表示制御部２６ａはイメージデータ記憶部２２ａから読み出されたイメージデータに基づきイメージデータ表示用データを生成し、デジタルデータ表示制御部２６ｂはデジタルデータ処理部２４によって処理されたデジタルデータに基づきデジタルデータ表示用データを生成する。そして、イメージデータ表示部２７ａがイメージデータ（図５の領域Ａ）を表示するとともに、デジタルデータ表示部２７ｂがデジタルデータ（図５の領域Ｂおよび領域Ｃ）を表示する（Ｓ１８）。
【００４３】
このようにイメージデータおよびデジタルデータが表示されている状態で、デジタルデータの修正および入力処理（Ｓ２０）および作業監視処理（Ｓ２２）が行われる。
【００４４】
デジタルデータの修正および入力処理
次に、図９のフローチャートを参照して、デジタルデータ処理部２４によるデジタルデータの修正および入力処理を説明する。
【００４５】
第１のオペレータは、ステータス１５のレセプトデータに対して、図５の領域Ａに表示されたイメージデータを参照して、データ修正・入力部２８を介してデジタルデータ処理部２４において、図５の領域Ｃに表示された項目（目視判断入力項目）に対してデータ入力を行うとともに、図５の領域Ｂに表示された項目（スキャナによって自動読取された項目）のデータ修正を行うことができる。このようにして、オペレータは効率よくレセプトデータの収集および修正を行うことができる。第１オペレータのレセプトごとのデータ修正および入力が終了した時点で、ステータス２０のレセプトデータが作成される（Ｓ２４）。当該データ処理部２４によって生成されたステータス２０のデータは、デジタルデータ記憶部２２ｂに記憶される。
【００４６】
さらに、他のオペレータ（以下、「第２のオペレータと称する」）が、第１のオペレータと同様に、ステータス１５のレセプトデータに対して、図５の領域Ａに表示されたイメージデータを参照して、データ修正・入力部２８を介してデジタルデータ処理部２４において、図５の領域Ｃに表示された項目（目視判断入力項目）に対してデータ入力を行うとともに、図５の領域Ｂに表示された項目（スキャナによって自動読取された項目）のデータ修正を行うことができる。第２オペレータのレセプトごとのデータ修正および入力が終了した時点で、ステータス２１のレセプトデータが作成される（Ｓ２６）。当該データ処理部２４によって生成されたステータス２１のデータも、デジタルデータ記憶部２２ｂに記憶される。
この際、デジタルデータ処理部２４は、同一のオペレータが同一のデータに対して上記データ修正および入力処理を行うことができないように制御している。
【００４７】
次に、デジタルデータ処理部２４は、ステータス２１のレセプトデータが作成された際、当該レセプトデータに対応するステータス２０のレセプトデータをデジタルデータ記憶部２２ｂから読み出し、ステータス２０のレセプトデータとステータス２１のレセプトデータとの対比（以下、「マッチングテスト」と称する）を行う（Ｓ２８）。
【００４８】
ステータス２０のレセプトデータとステータス２１のレセプトデータとが全て一致した場合（Ｓ３０、Ｙｅｓ）、デジタルデータ処理部２４は全てデータが一致したことを第２のオペレータに通知し、当該一致したデータをステータス３０のレセプトデータとして（Ｓ３２）デジタルデータ記憶部２２ｂに記憶して（Ｓ３４）、処理を終了する。
【００４９】
一方、ステータス２０のレセプトデータとステータス２１のレセプトデータとが全て一致しなかった場合（Ｓ３０、Ｎｏ）、デジタルデータ処理部２４は、一致しなかった入力項目のみを第２のオペレータに通知し、再度入力の確認を指示する（Ｓ３６）。そして、当該指示に基づき第２のオペレータが修正入力したレセプトデータのステータスを２２とする（Ｓ３８）。
【００５０】
そして、ステータス２０のレセプトデータとステータス２２のレセプトデータとが全て一致した場合（Ｓ４０、Ｙｅｓ）、デジタルデータ処理部２４は全てデータが一致したことを第２のオペレータに通知し、当該一致したデータをステータス３０のレセプトデータと同等とみなしステータス３１のレセプトデータとして（Ｓ４２）デジタルデータ記憶部２２ｂに記憶して（Ｓ４４）、処理を終了する。
【００５１】
一方、ステータス２０のレセプトデータとステータス２２のレセプトデータとが全て一致しない場合（Ｓ４０、Ｎｏ）、デジタルデータ処理部２４は、ステータス２０のレセプトデータとステータス２１のレセプトデータとをそのままデジタルデータ記憶部２２ｂに記憶する（Ｓ４６）。このように、第２のオペレータによるデータ修正および入力処理によっても、完全に一致しないレセプトデータに対しては、専門のオペレータがデータの修正および入力処理を行い、ステータス３２のデータを生成し（Ｓ４８）、当該ステータス３２のデータはデジタルデータ記憶部２２ｂに記憶され（Ｓ５０）、処理を終了する。
【００５２】
作業監視処理
次に、デジタルデータ処理部２４によるデータ処理状態を監視するためのデータ（データ処理時間、データ処理精度等）を取得するための作業監視用データ取得部２５による作業監視処理（Ｓ２２）について説明する。
【００５３】
作業監視用データ取得部２５は、オペレータの担当番号、レセプト毎の作業開始時刻、レセプト区分、作成したデータステータスなどの作業監視用データをデジタルデータ処理部２４から取得し、データが作成された時刻とともに格納する。これら取得された作業監視用データは、オペレータの入力作業効率、作業品質の評価情報として用いることができる。さらに、作業監視用データ取得部２５は、取得された作業監視用データに基づき作業監視データ表示用データを生成する。そして、当該作業監視データ表示用データに基づき、作業監視部１７が作業監視用データを表示する。図６および図７に、作業監視部１７における作業監視表示画面の例を示す。
【００５４】
図６は、リアルタイムで作業を監視するための表示画面の一例を示す。図６に示す作業監視表示画面には、担当者氏名、作業開始時刻、作業時間、処理件数、ステータス１０のレセプトデータからステータス２０のレセプトデータが生成された件数、ステータス１０のレセプトデータからステータス２１のレセプトデータが生成された件数、ステータス２０のレセプトデータとステータス２１のレセプトデータとが完全に一致した件数、ステータス２０のレセプトデータとステータス２１のレセプトデータとが完全に一致した確立（第１一致率）、ステータス２０のレセプトデータとステータス２２のレセプトデータとが完全に一致した件数、ステータス２０のレセプトデータとステータス２２のレセプトデータとが完全に一致した確立（第２一致率）、ステータス３０のレセプトデータおよびステータス３１のレセプトデータが生成された件数、ステータス３２のレセプトデータが生成された件数、および作業時間を処理件数で割った時間、がリアルタイム（実時間）で表示される。
【００５５】
図７は、所定期間（例えば、１月間）における作業状態を監視するための表示画面の一例を示す。図７に示す作業監視表示画面には、担当者氏名、入力作業日、作業開始時刻、作業終了時刻、作業時間、処理件数、ステータス１０のレセプトデータからステータス２０のレセプトデータが生成された件数、ステータス１０のレセプトデータからステータス２１のレセプトデータが生成された件数、ステータス２０のレセプトデータとステータス２１のレセプトデータとが完全に一致した件数、ステータス２０のレセプトデータとステータス２１のレセプトデータとが完全に一致した確立（第１一致率）、ステータス２０のレセプトデータとステータス２２のレセプトデータとが完全に一致した件数、ステータス２０のレセプトデータとステータス２２のレセプトデータとが完全に一致した確立（第２一致率）、ステータス３０のレセプトデータおよびステータス３１のレセプトデータが生成された件数、ステータス３２のレセプトデータが生成された件数、および作業時間を処理件数で割った時間、が表示される。
【図面の簡単な説明】
【図１】本発明の一実施形態によるレセプトデータ処理システムを概略的に示す全体構成図である。
【図２】本発明の一実施形態によるレセプトデータ処理装置の構成を示すブロック図である。
【図３】レセプトの一例を示す図である。
【図４】レセプトのデジタルデータ構成の一例を示す図である。
【図５】データ表示部におけるレセプトデータ表示画面の一例を示す図である。
【図６】作業監視部における作業監視表示画面の一例を示す図である。
【図７】作業監視部における作業監視表示画面の他の例を示す図である。
【図８】本発明の一実施形態によるレセプトデータ処理を説明するためのフローチャートである。
【図９】本発明の一実施形態によるデジタルデータの修正および入力処理を説明するためのフローチャートである。
【符号の説明】
１０　サーバ
１２　データ読取システム
１３　コンピュータ
１４　スキャナ
１５　レセプト
１６　生データ記憶部
１７　作業監視部
１８　レセプトデータ読取部
２０　レセプトデータ処理装置
２１　イメージデータ処理部
２２　処理後データ記憶部
２２ａ　イメージデータ記憶部
２２ｂ　デジタルデータ記憶部
２４　デジタルデータ処理部
２５　作業監視用データ取得部
２６　データ表示制御部
２６ａ　イメージデータ表示制御部
２６ｂ　デジタルデータ表示制御部
２７　データ表示部
２７ａ　イメージデータ表示部
２７ｂ　デジタルデータ表示部
２８　データ修正・入力部
【図１】
2004030359.tif 000003
【図２】
2004030359.tif 000004
【図３】
2004030359.tif 000005
【図４】
2004030359.tif 000006
【図５】
2004030359.tif 000007
【図６】
2004030359.tif 000008
【図７】
2004030359.tif 000009
【図８】
2004030359.tif 000010
【図９】
2004030359.tif 000011